(57)【要約】【課題】長く圧着綴じする機構を用紙後処理装置に搭載できるように小型化を行う。【解決手段】用紙束長さ方向の端部を長く圧着綴じする場合、用紙束が揃えられた位置７５で端部綴じ処理部２５が用紙束の端位置で圧着綴じを１回行った後、端部綴じ処理部２５は移動せず、用紙束の下面に位置した放出爪６１が矢印７１方向に移動することで用紙束を所定量持ち上げ、再度圧着綴じを行い、その後に放出爪６１が用紙束先端を位置７７まで持ち上げ、再度圧着綴じを行う。放出爪６１で用紙束を持ち上げながら圧着綴じを繰り返す行うことで、用紙長さ方向に対して、長い圧着綴じを行う。その後、指定された排紙トレイへ用紙束を排紙する。【選択図】図７
2015089843.tif 000002
【特許請求の範囲】
【請求項１】
用紙を搬送する搬送手段と、
用紙を一時的に積載する第１の積載手段と、
第１の積載手段に設置された用紙束を揃える揃え手段と、
第１の積載手段に設置された用紙束を圧着綴じする圧着綴じ手段と、
搬送手段により排紙された用紙を積載する積載トレイと、
を有する用紙後処理装置において、
一つの圧着綴じ部で繰り返し綴じることで用紙束の一端面の端面から規定の位置（範囲）を長く圧着綴じすることを特徴とする用紙後処理装置。
【請求項２】
用紙幅方向に、圧着綴じ手段を移動させるための圧着綴じ幅方向移動手段を備え、
前記圧着綴じ手段を移動させた後の圧着綴じを繰り返すことを特徴とする請求項１に記載の用紙後処理装置。
【請求項３】
用紙長さ方向に、圧着綴じ手段を移動させるための圧着綴じ長さ方向移動手段を備え、
前記圧着綴じ手段による幅方向の圧着綴じ後に、該圧着綴じ手段を長さ方向に所定距離移動してから再度幅方向の圧着綴じを繰り返すことを特徴とする請求項２に記載の用紙後処理装置。
【請求項４】
用紙長さ方向に、用紙束を搬送手段により移動させるごとに前記圧着綴じ手段による圧着綴じを繰り返すことを特徴とする請求項１乃至３のいずれかに記載の用紙後処理装置。
【請求項５】
前記圧着綴じ手段を移動させる間隔、あるいは用紙を移動させる間隔、あるいは前記圧着綴じ手段及び用紙の両方を移動させる間隔を任意に指定可能としたことを特徴とする請求項１乃至４のいずれかに記載の用紙後処理装置。
【請求項６】
用紙束を構成する用紙枚数により、前記圧着綴じ手段が一箇所の圧着綴じ部で繰り返し綴じる回数を増減させることを特徴とする請求項１乃至５のいずれかに記載の用紙後処理装置。
【請求項７】
用紙束を構成する用紙の厚みにより、前記圧着綴じ手段が一箇所の圧着綴じ部で繰り返し綴じる回数、綴じの加圧力を増減させることを特徴とする請求項１乃至６のいずれかに記載の用紙後処理装置。
【請求項８】
請求項１乃至７のいずれかに記載の用紙後処理装置を備えたことを特徴とする画像形成装置。
【発明の詳細な説明】
【技術分野】
【０００１】
本発明は、複写機、プリンター等の画像形成装置が備える用紙後処理装置に関する。
【背景技術】
【０００２】
画像形成装置に付属される用紙後処理装置において、ステープル綴じ機構とともに、若しくはステープル綴じ機構に変わって、圧着綴じ機構が搭載されている。また、圧着綴じでも、ステープルのように用紙束の一部を圧着綴じする機構、用紙束の一端面の端から端までを長く圧着綴じする機構、あるいは、端面から規定の位置（範囲）を長く圧着綴じする機構、を備えた用紙後処理装置が知られている。
【発明の概要】
【発明が解決しようとする課題】
【０００３】
しかしながら、用紙束の一端面を長く圧着綴じする場合、長い圧着綴じ部材が必要である。これを用紙後処理装置に搭載するためには、そのスペースを確保しなければならないという問題がある。
【０００４】
特許文献１には、資源の有効活用と省エネルギーのため、圧着綴じ機構を搭載している装置が開示されている。この圧着綴じ機構は、用紙束などの一端面を長く圧着綴じする機構であり、その圧着歯は一つの圧着歯を複数個並べることで一つの比較的長い圧着綴じ歯として圧着綴じする機構としている。
【０００５】
しかしながら圧着歯を複数個並べることで一つの長い圧着綴じ部としているため、その大きさから、用紙後処理装置に搭載するためには大きなスペースを確保しなければならないという問題がある。
本発明は、長く圧着綴じする機構を用紙後処理装置に搭載できるように小型化を行うことを目的とする。
【課題を解決するための手段】
【０００６】
本発明の用紙後処理装置は、用紙を搬送する搬送手段と、用紙を一時的に積載する第１の積載手段と、第１の積載手段に設置された用紙束を揃える揃え手段と、第１の積載手段に設置された用紙束を圧着綴じする圧着綴じ手段と、搬送手段により排紙された用紙を積載する積載トレイとを有する用紙後処理装置において、一つの圧着綴じ部で繰り返し綴じることで用紙束の一端面の端面から規定の位置（範囲）を長く圧着綴じすることを特徴とする。
【発明の効果】
【０００７】
本発明によれば、用紙束の一端面を長く圧着綴じする場合には、一つの圧着綴じ部で繰り返し綴じるので、長く圧着綴じするための長い圧着綴じ部（歯）を必要としなくできる。そして、これを設置するための大きな空間を確保する必要がなく、製品の大型化へのコストを抑えられるとともに、製品の小型化を行うことができる。
【図面の簡単な説明】
【０００８】
【図１】用紙後処理装置の構成の一例を示す正面図である。
【図２】用紙後処理装置３のブロック図である。
【図３】圧着綴じ歯の構成を示す図である。
【図４】圧着綴じ歯の構成を示す他の図である。
【図５】圧着歯の動作機構の一例を示す図である。
【図６】実施形態１の用紙幅方向の一端面を長く圧着綴じする動作機構の一例を示す図である。
【図７】実施形態１の用紙長さ方向の一端面を長く圧着綴じする動作機構の一例を示す図である。
【図８】実施形態１の小サイズの用紙束に対して用紙幅方向の一端面を長く圧着綴じする動作機構の一例を示す図である。
【図９】実施形態２の圧着綴じ部の幅方向移動手段の構成を示した左視図である。
【図１０】実施形態２の圧着綴じ部の幅方向移動手段の構成を示した正面図である。
【図１１】実施形態２の圧着綴じ部の幅方向移動の動作を示した右視図である。
【図１２】実施形態２の圧着綴じ部の幅方向移動の動作を示した右視図である。
【図１３】実施形態２の圧着綴じ部の幅方向移動の動作を示した右視図である。
【図１４】実施形態３の圧着綴じ部の長さ方向移動手段の構成を示した正面図である。
【図１５】実施形態３の圧着綴じ部の長さ方向移動手段の構成を示した正面図である。
【図１６】実施形態３の圧着綴じ部の長さ方向移動手段の構成部品を示した左視図である。
【図１７】実施形態３の圧着綴じ部の幅方向、長さ方向移動の動作を示した右視図である。
【図１８】実施形態３の圧着綴じ部の幅方向、長さ方向移動の動作を示した右視図である。
【図１９】実施形態３の圧着綴じ部の幅方向、長さ方向移動の動作を示した右視図である。
【図２０】実施形態３の圧着綴じ部の幅方向、長さ方向移動の動作を示した右視図である。
【図２１】実施形態３の圧着綴じ部の幅方向、長さ方向移動の動作を示した右視図である。
【図２２】実施形態３の圧着綴じ部の幅方向、長さ方向移動の動作を示した右視図である。
【図２３】実施形態４について説明するための図で、図１の綴じ部を上部から見た図である。
【図２４】実施形態５での圧着綴じの状態を示す図である。
【図２５】実施形態５での圧着綴じの状態を示す図である。
【図２６】実施形態５の動作を示すフローチャートである。
【図２７】実施形態５の動作を示すフローチャートである。
【図２８】実施形態５の動作を示すフローチャートである。
【図２９】実施形態５の動作を示すフローチャートである。
【図３０】実施形態５の動作を示すフローチャートである。
【図３１】実施形態６について説明するためのフローチャートである。
【図３２】実施形態７について説明するためのフローチャートである。
【発明を実施するための形態】
【０００９】
本発明の実施の形態を図面を参照して説明する。図示した本発明の実施形態は、用紙束の一端面を長く圧着綴じすることに際して、以下の特徴を有する。要するに、用紙束の一端面を一つの圧着綴じ部で繰り返し綴じ続けることで、長い圧着綴じを行うことが特徴になっている。
【００１０】
図１は、用紙後処理装置の構成の一例を示す正面図である。
この図１に示すように、画像形成システム１は、画像形成装置２と、用紙処理装置としての用紙後処理装置３とを備えている。画像形成装置２と用紙後処理装置３とは、相互に通信可能に接続されている。
【００１１】
この画像形成システム１では、画像形成装置２が用紙に画像を形成した後、用紙後処理装置３が画像形成装置２から用紙を受け入れ、受け入れた用紙に各種の後処理を施す。各種の後処理は、例えば、端部綴じ処理、中折り処理等である。中折り処理は、中綴じ処理を含む。このような各種の後処理を行なう用紙後処理装置３は、動作モードとして、排出モードと、端部綴じモードと、中折りモードと、を有している。
【００１２】
画像形成装置２は、公知の構成を有し、一例としては、電子写真方式のカラー画像形成装置として構成することができる。画像形成装置２は、例えば、制御部や、作像部、光書き込み部、給紙部、給紙搬送路、画像読取部、中間転写部、定着部、排紙搬送路、両面搬送路、操作部等（いずれも図示せず）を有して、用紙の両面又は片面に画像を形成する。
【００１３】
用紙後処理装置について説明する。
用紙後処理装置３には、画像形成装置２から排出された用紙を受け入れて搬送する搬送路を複数備えている。第１の搬送経路Ｐｔ１は用紙を用紙トレイ（第１の排紙トレイ１０）へ一時的に排出する。第２の搬送経路Ｐｔ２は、第１の搬送経路Ｐｔ１から分岐して用紙束に端部綴じ処理等を施すためのものである。第３の搬送経路Ｐｔ３は、第２の搬送経路Ｐｔ２と接続していて用紙束に中綴じ中折り処理を施すために設けられている。各搬送経路Ｐｔ１〜Ｐｔ３は、例えばガイド部材（図示せず）等によって形成されている。
【００１４】
第１の搬送経路Ｐｔ１には、入口ローラ１１、搬送ローラ１２、１３、排紙ローラ１４が第１の搬送経路Ｐｔ１の上流部から下流部に向けて順に配置されている。入口ローラ１１、搬送ローラ１２、１３及び排紙ローラ１４は、モータによって回転駆動されて用紙を搬送する。入口ローラ１１の上流には、入口センサ１５が配置されている。入口センサ１５は、用紙が用紙後処理装置３内へ搬入されたことを検知する。搬送ローラ１２の下流には、分岐爪１７が配置されている。分岐爪１７は、回動してその位置を切替えすることによって、用紙を、第１の搬送経路Ｐｔ１における分岐爪１７の下流側の部分と第２の搬送経路Ｐｔ２とのいずれか一方へ選択的に案内する。分岐爪１７は、例えばモータやソレノイドなどで駆動される。
【００１５】
排出モードでは、画像形成装置２から第１の搬送経路Ｐｔ１に搬入された用紙は、入口ローラ１１、搬送ローラ１２、１３及び排紙ローラ１４によって搬送されて、第１の排紙トレイ１０に排出される。一方、端部綴じモード及び中折りモードでは、第１の搬送経路Ｐｔ１に搬入された用紙は、入口ローラ１１及び搬送ローラ１２によって搬送されて、分岐爪１７で進行方向を変えられて、第２の搬送経路Ｐｔ２へ搬送される。
【００１６】
第２の搬送経路Ｐｔ２には、搬送ローラ２０、２１、２２と、用紙積載部２３と、第１の用紙揃え部２４と、端部綴じ処理部（第１の綴じ処理部）２５とが配置されている。搬送ローラ２０、２１、２２は、モータによって駆動されて用紙を搬送する。第１の用紙揃え部２４は、モータによって駆動される。また、用紙積載部２３の下流には、分岐爪２６、２７が配置されている。分岐爪２６、２７は、回動してその位置を切替えすることによって、用紙を、第１の搬送経路Ｐｔ１における分岐爪１７の下流側の部分と第３の搬送経路Ｐｔ３とのいずれか一方へ選択的に案内する。分岐爪２６、２７は、例えばモータやソレノイドなどによって駆動される。
【００１７】
端部綴じモードでは、用紙は、順次、用紙積載部２３上に積載される。これにより、複数の用紙が積層された用紙束が形成される。この際、用紙は、その後端が用紙積載部２３に設けられた第１の可動基準フェンス（図示せず）に当接し、用紙搬送方向の位置が揃えられるとともに、第１の用紙揃え部２４によって幅方向位置が揃えられる。ここで、用紙積載部２３、第１の用紙揃え部２４及び第１の可動基準フェンスは、複数の用紙を重ねて用紙束とする束化部としての第１の束化部２８を構成している。また、第１の束化部２８は、第１の用紙揃え部２４を駆動するモータや第１の可動基準フェンスを駆動するモータも含む。
【００１８】
端部が綴じられた用紙束は、第１の可動基準フェンスによって第１の搬送経路Ｐｔ１に搬送され、その後、搬送ローラ１３、排紙ローラ１４によって搬送されて第１の排紙トレイ１０に排出される。ここで、排紙ローラ１４は、端部綴じによって綴じられた用紙束を排出する排紙部の一例である。一方、中折りモードでは、第２の搬送経路Ｐｔ２に搬送された用紙は、搬送ローラ２０、２１、２２及び第１の可動基準フェンスによって、第３の搬送経路Ｐｔ３へ搬送される。
【００１９】
第３の搬送経路Ｐｔ３には、搬送ローラ３１、３２と、中綴じ折り部３３とが配置されている。搬送ローラ３１、３２は、モータに駆動されて用紙を搬送する。中綴じ折り部３３は、中折り部３４と、中綴じ処理部（第２の綴じ処理部）３５と第２の束化部３６と、を有している。中綴じ折り部３３は、綴じ形成部の一例である。第３の搬送経路Ｐｔ３に搬送された用紙は、搬送ローラ３１、３２によって、順次、第２の束化部３６に積載される。これにより、複数の用紙が積層された用紙束が形成される。
【００２０】
つまり、第２の束化部３６は、入口ローラ１１、搬送ローラ１２、搬送ローラ２０、２１、２２、搬送ローラ３１、３２からなる搬送部５１によって搬送された複数の用紙を重ねて用紙束とする。この際、用紙は、その前端が第２の可動基準フェンス３７に当接し、用紙搬送方向位置が揃えられるとともに、第２の用紙揃え部（図示せず）によって幅方向位置が揃えられる。そして、用紙束は、中綴じ部処理３５によって、用紙搬送方向の中央部近傍が綴じられる（中綴じされる）。中綴じされた用紙束は、第２の可動基準フェンス３７によって中折り位置まで戻される。第２の可動基準フェンス３７は、モータによって駆動される。
【００２１】
中折り位置に位置した用紙束は、中折り部３４によって、用紙搬送方向の中央部で折られる（中折りされる）。中折り部３４では、中折り位置にある用紙束の用紙搬送方向中央部と対向するブレード３８が、図１の右から左へ移動して、用紙束の用紙搬送方向中央部を折り曲げながら一対の押圧ローラ３９、４０の間に押し込む。ブレード３８は、モータによって駆動される。そして、折り曲げられた用紙束は、一対の押圧ローラ３９、４０によって上下から押圧される。一対の押圧ローラ３９、４０は、モータによって駆動される、このようにして折り曲げられた用紙束は、押圧ローラ３９、４０と排紙ローラ４１とよって、第２の排紙トレイ４２上に排紙される。排紙ローラ４１は、モータによって駆動される。
【００２２】
ここで、入口ローラ１１、搬送ローラ１２、１３、２０、２１、２２、３１、３２、排紙ローラ１４、４１は、それらを駆動するモータとともに、搬送部５１を構成している。また、分岐爪１７、２６、２７は、それらを駆動するモータ又はソレノイドとともに、経路切替え部５２を構成している。
【００２３】
図２は、用紙後処理装置３のブロック図である。
図２に示すように、用紙後処理装置３は制御部１６を備えている。制御部１６は、ＣＰＵ、記憶部、通信インターフェース等を有するコンピュータである。制御部１６の記憶部は、ＲＯＭ、ＲＡＭ等によって構成されており、ＣＰＵが実行するプログラム等を格納している。制御部１６には、入口センサ１５、第１の束化部２８、中綴じ折り部３３、搬送部５１及び経路切替え部５２等が接続されている。制御部（ＣＰＵ）１６は、記憶部に記憶されているプログラムに従って用紙後処理装置３の各部を駆動制御する。また、制御部１６は、画像形成装置２の制御部１６とデータ通信可能に接続されている。
【００２４】
図３、図４は、圧着綴じ歯の構成を示す図である。
図３に圧着方法による綴じについて解説する。圧着綴じは凹凸がある圧着歯（上圧着歯７１、下圧着歯７２）を用紙束Ｐに対向する位置に配置している（図３（ａ））。どちらか一方の圧着歯（もしくは両方）を動かし、力を掛ける（図３（ｂ）〜（ｃ））。加圧力を大きくしていくと、用紙束Ｐに凹凸形状が転写され綴じが完了する（図３（ｄ））。この圧着綴じでは、凹凸の嵌合や用紙間の繊維の絡まりや固着により用紙束Ｐを綴じることが可能となる。
【００２５】
これら圧着歯７１、７２の凹凸形状には任意の角度の斜面部を持っている。また、凹凸形状の頂点部、谷部の形状は異なっており、圧着歯が噛合ったときに、上圧着歯７１の頂点部と下圧着歯７２の谷部が接触しないようになっている（図４）。具体的には、頂点部のＲに比べ、谷のＲの方が小さい。これにより、圧着歯で加圧したときに、斜面部の用紙が押しつぶされ、用紙束は伸びるが、その逃げ道として隙間に用紙束が逃げることで、斜面部のみで用紙束を圧着することができる。すなわち用紙間のズレを発生させ繊維の絡まりや固着し、効率よく綴じを行うことを可能とする。
【００２６】
図５は、圧着歯の動作機構の一例を示す図である。
この機構としては、上歯アーム７３、下歯アーム７４にそれぞれ上圧着歯７１、下圧着歯７２が配置してあり、下歯アーム７４はアーム回転中心７５を中心として回転する。回転動作は、不図示の駆動源によりギア７６が回転させることでカム駆動ギア７７が回転し、そこに固定した下歯押しカム７８が非線形の回転運動をする。図中７７ａはカム駆動ギア７７の回転中心である。このことで下歯アーム７４に設置された下圧着歯側の反対側を押し下げる。結果、下圧着歯７２は上方向に動き、上圧着歯７１と接触する。また、下圧着歯７２を元の位置へ戻すために下歯戻しバネ７９が設置されている。図中８０は台座である。
【００２７】
＜実施形態１＞
図６は、用紙幅方向の一端面を長く圧着綴じする動作機構の一例を示す図である。
画像形成装置２から排紙された用紙は、前記の搬送により用紙積載部２３に順次積載され、１枚ずつ積載される。同時に、第１の用紙揃え部２４が矢印７０ａ方向に動くことにより、用紙束を幅方向に対して揃える。用紙束の長さ方向に対する揃えは、用紙積載部２３が傾斜を持って設置されていることで、用紙の自重で突き当て部６０に突き当てられ揃えられるようになっている。ただし、用紙積載部２３上で、用紙後端を揃えるための叩きコロを設置しても良い。指定された用紙枚数が積載されると、端部綴じ処理部２５で用紙束の綴じ処理を行う。この端部綴じ処理部２５は、前述の圧着綴じとなっている。
【００２８】
用紙束幅方向の端部を長く圧着綴じする場合には、端部綴じ処理部２５が図示付近（用紙束の端）の位置で圧着綴じを１回行った後、図示しない移動機構で矢印７２ａ方向へ規定量移動し、再度、圧着綴じを行う。このように端部綴じ処理部２５が移動しながら位置７３（用紙束の反対側の端面）に到達するまで圧着綴じを繰り返す行うことで、用紙幅方向に対して、長い圧着綴じを行う。その後、前記記載の搬送により、指定された排紙トレイへ排紙される。
【００２９】
図７は、用紙長さ方向の一端面を長く圧着綴じする動作機構の一例を示す図である。
画像形成装置２から排紙された用紙は、前述の搬送により用紙積載部２３に順次積載され、１枚ずつ積載される。同時に、第１の用紙揃え部２４が矢印７０ａ方向に動くことにより、用紙束を幅方向に対して揃える。また、用紙束の長さ方向に対する揃えは、用紙積載部２３が傾斜を持って設置されていることで、用紙の自重で突き当て部６０に突き当てられ揃えられるようになっているが、第１の用紙揃え部２４上で、用紙後端を揃えるための叩きコロを設置しても良い。指定された用紙枚数が積載されると、端部綴じ処理部２５で用紙束の綴じ処理を行う。この端部綴じ処理部２５は、前記記載の圧着綴じとなっている。
【００３０】
用紙束長さ方向の端部を長く圧着綴じする場合には、まず、用紙束が揃えられた位置７５で、端部綴じ処理部２５が図示付近（用紙束の端）の位置で圧着綴じを１回行う。その後、端部綴じ処理部２５は、その位置のまま移動せず、用紙束の下面に位置した放出爪６１が図示しない移動機構で矢印７１ａ方向に移動する。このことで用紙束を所定量、例えば用紙束先端が位置７６まで持ち上げ、再度、圧着綴じを行う。その後、再度、放出爪６１が同ように用紙束先端を位置７７まで持ち上げ、再度、圧着綴じを行う。
【００３１】
このように放出爪６１で用紙束を持ち上げながら圧着綴じを繰り返す行うことで、用紙長さ方向に対して、長い圧着綴じを行う。なお、用紙束を放出爪６１で持ち上げる際は、用紙束両端面に、対になった第１の用紙揃え部２４を接触させた状態のまま、放出爪６１を矢印７１ａの方向へ移動させ用紙束を持ち上げることで、用紙束は揃った状態で持ち上げることになり、バラケ防止となる。その後、前記記載の搬送により、指定された排紙トレイへ用紙束が排紙される。
【００３２】
図８は、小サイズの用紙束に対して用紙幅方向の一端面を長く圧着綴じする動作機構の一例を示す図である。
小サイズの用紙束に対して用紙幅方向の一端面を長く圧着綴じする場合、図７に記載の突き当て部６０基準で用紙束を積載すると、端部綴じ処理部２５に用紙束が届かず、圧着綴じできないという課題がある。これに対して、小サイズの用紙束における用紙幅方向の一端面を長く圧着綴じする時は、第１の用紙揃え部２４で用紙束を揃えた後に行う。まず用紙束両端面に、対になった第１の用紙揃え部２４を接触させた状態のまま、放出爪６１を矢印７１ａの方向へ移動させ用紙束を持ち上げる。その後、端部綴じ処理部２５で圧着綴じができる位置まで持ち上げた後、端部綴じ処理部２５が図示付近（用紙束の端）の位置で圧着綴じを１回行った後、図示しない移動機構で矢印７２ａ方向へ規定量移動し、再度、圧着綴じを行う。
【００３３】
画像形成装置２と用紙後処理装置３とは、相互に通信可能に接続されている。そのため、用紙が用紙後処理装置３へ搬送されてくる前に、その用紙サイズ情報が画像形成装置２から送られてくる。したがって、端部綴じ処理部２５では用紙サイズに応じた圧着綴じ位置が分かり、事前に圧着綴じ１回目の位置で待機することができる。このように端部綴じ処理部２５が移動しながら位置７４に到達するまで圧着綴じを繰り返す行うことで、小サイズの用紙束に対しても用紙幅方向に対して、長い圧着綴じを行う。その後、前記記載の搬送により、指定された排紙トレイへ排紙される。なお、用紙束の一端面の端から端までを圧着綴じするが、例えば、圧着綴じの開始は、開始側の用紙端から指定された間隔（圧着綴じしない間隔）を取ってから開始しても良い。また、終了は終了側の用紙端から指定された間隔（圧着綴じしない間隔）を開けて終了しても良い。
【００３４】
＜実施形態２＞
図９〜図１３は、第２の実施形態について説明するための図である。
図９、図１０は、圧着綴じ部の幅方向移動手段の構成を示した左視図、正面図である。また図１１〜図１３は、圧着綴じ部の幅方向移動の動作を示した右視図である。
【００３５】
図９、図１０に示すように、圧着綴じ部２００は、移動ブラケット２０１を介して軸２０２に移動自在に取り付けてある。移動ブラケット２０１はモータ２０４によりタイミングベルト２０３を介して駆動する。
【００３６】
基準フェンス２１０は、軸２１１に移動自在に取り付けてある。ステー２１２との間に取り付けたバネ２１３により、基準フェンス２１０は内側に引っ張られる。移動ブラケット２０１と基準フェンス２１０は一部で干渉しており、圧着綴じ部２００（移動ブラケット２０１）が外側に移動すると、基準フェンス２１０も追従して外側に移動する構成としている。
【００３７】
次に動作について説明する。
用紙Ｐの１枚目が基準フェンス２１０にスタックされる前に、圧着綴じ部２００をホーム位置から綴じ開始位置（用紙端面から規定の位置）まで移動させる。用紙Ｐ束が全て基準フェンス２１０にスタックされ、図示しないジョガーフェンス等による揃え動作を完了後、用紙Ｐ束に圧着綴じ部２００にて圧着綴じを行う（図１１）。その後、圧着綴じ部２００を用紙幅方向に移動させ、停止後に圧着綴じを行う制御を繰り返す（図１２）。綴じ完了位置（用紙端面から規定の位置）での圧着綴じ完了後、図示しない放出爪により用紙Ｐ束を排紙トレイに排出する（図１３）。用紙Ｐ束が最終部の場合は圧着綴じ部２００をホーム位置に移動し、綴じを継続する場合は現在の位置を綴じ開始位置として、前述の動作を行う。
【００３８】
＜実施形態３＞
図１４〜図２２は、第３の実施形態について説明するための図である。
図１４、図１５は、圧着綴じ部の長さ方向移動手段の構成を示した正面図である。図１６は、圧着綴じ部の長さ方向移動手段の構成部品を示した左視図である。そして図１７〜図２２は、圧着綴じ部の幅方向、長さ方向移動の動作を示した右視図である。
【００３９】
図１４に示すように、圧着綴じ部２００は移動ブラケット２０１に取り付けられ、移動ブラケット２０１の両側面にある溝と、移動ブラケット２０１の両側面に突出させた形態で配した軸２０２が嵌合される。そして、圧着綴じ部２００と移動ブラケット２０１が用紙長さ方向に移動可能な構成としている。
【００４０】
図１５、図１６に示すように、軸２０２は、移動ブラケット２０１に回転可能に固定されたカム２０６の溝２０６ａに嵌合している。溝２０６ａは渦巻き状に設けられている。そして、モータ２０８によりタイミングベルト２０７を介して回転駆動することにより、圧着綴じ部２００と移動ブラケット２０１を用紙長さ方向に移動する駆動構成としている。
【００４１】
次に動作について説明する。
用紙Ｐの１枚目が基準フェンス２１０にスタックされる前に、圧着綴じ部２００をホーム位置から綴じ開始位置（用紙端面から規定の位置）まで移動させる。用紙束Ｐが全て基準フェンス２１０にスタックされ、図示しないジョガーフェンス等による揃え動作を完了後、用紙Ｐ束に圧着綴じ部２００にて圧着綴じを行う（図２１３）。その後、圧着綴じ部２００を用紙幅方向に移動させ、停止後に圧着綴じを行う制御を繰り返す（図１８、図１９）。綴じ完了位置（用紙端面から規定の位置）での圧着綴じ完了後、圧着綴じ部２００を用紙搬送方向に移動し、綴じ開始位置（用紙端面から規定の位置）で停止後に圧着綴じを行う（図２０）。その後、圧着綴じ部２００を用紙幅方向に移動させ、停止後に圧着綴じを行う制御を繰り返す（図２１）。綴じ完了位置（用紙端面から規定の位置）での圧着綴じ完了後、図示しない放出爪により用紙Ｐ束を排紙トレイに排出する（図２２）。用紙Ｐ束が最終部の場合は圧着綴じ部２００をホーム位置に移動し、綴じを継続する場合は現在の位置を綴じ開始位置として、前述の動作を行う。
【００４２】
＜実施形態４＞
図２３は、実施形態４について説明するための図で、図１の綴じ部を上部から見た図である。
スタックトレイ５０９に用紙５２１が積載され、可動基準フェンス５１３に突き当て、ジョガー５１１にて揃えられる。その後、可動基準フェンス５１３が図示しない移動機構で矢印方向に移動することで、用紙５２１を搬送させ、綴じ位置に到着すると用紙５２１を停止させる。用紙５２１が停止すると、圧着綴じが開始される。圧着綴じ箇所が複数あれば、再度、用紙５２１を用紙搬送方向に移動させ、停止後、圧着綴じを行う制御を繰り返す。
【００４３】
＜実施形態５＞
図２４〜図３０は、実施形態５について説明するための図である。なお本実施形態は、先に説明した実施形態２、３の構成と同様である。
図２４、図２５は、本実施形態での圧着綴じの状態を示す図である。図２６〜図３０は、本実施形態の動作を示すフローチャートである。
【００４４】
本実施形態の動作について説明する。先ず、画像形成装置２の図示しない操作部で、ユーザーにより圧着綴じ部２００の移動間隔を設定する。設定後、圧着綴じ部２００の移動距離に変換する（Ｓ２５０：Ｓはステップの略語である。以下同じ）。用紙Ｐの１枚目が基準フェンス２１０にスタックされる前に、圧着綴じ部２００をホーム位置から綴じ開始位置（用紙端面から規定の位置）まで移動させる。用紙Ｐ束が全て基準フェンス２１０にスタックされ、図示しないジョガーフェンス等による揃え動作を完了後、用紙Ｐ束に圧着綴じ部２００にて圧着綴じを行う（図１７参照）。
【００４５】
オーバーラップ綴じを行わない場合、圧着綴じ後、圧着綴じ部２００を用紙幅方向奥側に移動開始し、Ｓ２５０で設定した所定距離移動後の圧着綴じを繰り返す（Ｓ２００〜２０２）。幅方向の圧着綴じが全て完了し、最終部であれば圧着綴じ部をホーム位置に移動して動作を完了する（Ｓ２０４，２１２，２１３）。最終部でない場合は、次部の用紙のスタック及び揃え動作完了後に圧着綴じを行う（Ｓ２０４，２１２，２１４，２１５）。圧着綴じ後、圧着綴じ部２００を用紙幅方向手前側に移動開始し、所定距離移動後の圧着綴じを繰り返す（Ｓ２０６〜２０８）。幅方向の圧着綴じが全て完了し、最終部であれば圧着綴じ部をホーム位置に移動して動作を完了する（Ｓ２１０，２１６，２１７）。
【００４６】
最終部でない場合は、次部の用紙のスタック及び揃え動作完了後に圧着綴じを行う（Ｓ２１０，２１６，２１８，２１９）。圧着綴じ後、圧着綴じ部２００を用紙幅方向奥側に移動開始する（Ｓ２００）。最終部となるまでこの動作を繰り返す。この動作の場合の圧着綴じの仕上がり例として図２４に示す。
【００４７】
オーバーラップ綴じを行う場合、圧着綴じ後、圧着綴じ部２００を用紙幅方向奥側に移動開始し、Ｓ２５０で設定した所定距離移動後の圧着綴じを繰り返す（Ｓ２００〜２０２）。幅方向の圧着綴じが全て完了したら圧着綴じ部２００を用紙長さ方向上側に移動後、用紙幅方向手前側に移動開始し、所定距離移動後の圧着綴じを繰り返す（Ｓ２０３〜２０８）。幅方向の圧着綴じが全て完了したら圧着綴じ部２００を用紙長さ方向下側に移動後に停止する（Ｓ２０９〜２１１）。最終部であれば、圧着綴じ部をホーム位置に移動して動作を完了する（Ｓ２１６，２１７）。
【００４８】
最終部でない場合は、次部の用紙のスタック及び揃え動作完了後に圧着綴じを行う（Ｓ２１６，２１８，２１９）。圧着綴じ後、圧着綴じ部２００を用紙幅方向奥側に移動開始し、所定距離移動後の圧着綴じを繰り返す（Ｓ２００〜２０２）。最終部となるまでこの動作を繰り返す。この動作の場合の圧着綴じの仕上がり例として図２５に示す。
【００４９】
なお本実施形態においてはオーバーラップ綴じのために圧着綴じ部２００を用紙長さ方向に移動させているが、実施形態４の構成にて用紙の方を移動させても良い。
【００５０】
＜実施形態６＞
図３１は、実施形態６について説明するためのフローチャートである。このフローチャートにて説明する。
ユーザーが出力条件を用紙後処理装置本体の操作部、又はＰＣから入力する（Ｓ５６１）。出力条件において、圧着綴じ用紙枚数が規定枚数以上入力された場合、用紙後処理装置を動作させ、一箇所の綴じ位置に対して、複数回（少なくとも２回以上）圧着綴じを行う。そして、排紙トレイへ用紙束を排紙する。（Ｓ５６２、Ｓ５６３、Ｓ５６５）。出力条件において、圧着綴じ用紙枚数が規定枚数以上入力されなかった場合、用紙後処理装置を動作させ、圧着綴じユニット５０１によって用紙束を圧着綴じ処理し、用紙束を排紙トレイに排紙する。（Ｓ５６２、Ｓ５６４、Ｓ５６５）。
【００５１】
＜実施形態７＞
図３２は、実施形態７について説明するためのフローチャートである。このフローチャートにて説明する。
ユーザーが出力条件を用紙後処理装置本体の操作部、又はＰＣから入力する（Ｓ５７１）。出力条件において、圧着綴じする用紙厚が規定厚以上入力された場合、用紙後処理装置を動作させ、一箇所の綴じ位置に対して、加圧力を調整し、複数回（少なくとも２回以上）圧着綴じを行う。そして、排紙トレイへ用紙束を排紙する。（Ｓ５７２、Ｓ５７３、Ｓ５７５）。出力条件において、圧着綴じする用紙厚が規定厚以上入力されなかった場合、用紙後処理装置を動作させ、圧着綴じユニット５０１によって用紙束を圧着綴じ処理し、用紙束を排紙トレイに排紙する。（Ｓ５７２、Ｓ５７４、Ｓ５７５）。
【００５２】
以上説明したように、用紙後処理装置において一つの圧着綴じ部で繰り返し綴じることで用紙束の一端面の端面から規定の位置（範囲）を長く圧着綴じする。すると、一の圧着綴じ部で、繰り返し綴じて長い圧着綴じとするために、用紙、又は圧着綴じ部を動かしているので、圧着綴じ部を設置する空間を省スペース化ができる。
【００５３】
用紙幅方向に、圧着綴じ手段を移動するための圧着綴じ幅方向移動手段を備え、圧着綴じ手段を移動後の圧着綴じを繰り返す。すると、圧着綴じ手段を用紙幅方向に移動後に圧着綴じを繰り返すことで、広範囲に圧着綴じを行うことができる。
【００５４】
用紙長さ方向に、圧着綴じ手段を移動するための圧着綴じ長さ方向移動手段を備え、圧着綴じ手段による幅方向の圧着綴じ後に、圧着綴じ手段を長さ方向に所定距離移動してから再度幅方向の圧着綴じを繰り返す。すると、圧着綴じ手段を用紙長さ方向に移動後にも圧着綴じを行うことで、オーバーラップさせたり、太い綴じ幅での圧着綴じしたりすることを可能とし、綴じ強度を増すことができる。
【００５５】
用紙長さ方向に、用紙束を搬送手段により移動ごとに圧着綴じを繰り返す。すると、用紙束を搬送手段により移動ごとに圧着綴じを行うことで、既に備わっている搬送手段を使うので、新たな搬送手段を必要とせず、装置の小型化が可能である。
【００５６】
圧着綴じ手段、或いは用紙、或いはその両方を移動する間隔を任意に指定可能とする。すると、指定した間隔で圧着綴じを行うことで、連続して綴る際の用紙撓み、ズレを抑制して揃え精度を向上する。また、圧着綴じを行わない間隔を設けることで、生産性を向上する。
【００５７】
用紙束を構成する用紙枚数により、一箇所の圧着綴じ部で繰り返し綴じる回数を増減させる。すると、用紙束を構成する用紙枚数により、一箇所の圧着綴じ部で繰り返し綴じる回数を増減させることで、用紙枚数に適した綴じ強度で綴じを行うことが可能である。
【００５８】
用紙束を構成する用紙の厚みにより、一箇所の圧着綴じ部で繰り返し綴じる回数、綴じの加圧力を増減させる。すると、用紙束を構成する用紙の厚みにより、一箇所の圧着綴じ部で繰り返し綴じる回数、綴じの加圧力を増減させることで、用紙厚に適した綴じ強度で綴じを行うことができる。また、綴じ動作時の電力を削減することが可能である。
本発明は以上説明した実施形態に限定されるものではなく、多くの変形が本発明の技術的思想内で当分野において通常の知識を有する者により可能である。
【符号の説明】
【００５９】
１        ：画像形成システム
２        ：画像形成装置
３        ：用紙後処理装置
１０      ：第１の排紙トレイ
１１      ：入口ローラ
１２      ：搬送ローラ
１３      ：搬送ローラ
１４      ：排紙ローラ
１５      ：入口センサ
１６      ：制御部
１７      ：分岐爪
２０      ：搬送ローラ
２１      ：搬送ローラ
２２      ：搬送ローラ
２３      ：用紙積載部
２４      ：第１の用紙揃え部
２５      ：処理部
２６      ：分岐爪
２７      ：分岐爪
２８      ：第１の束化部
３１      ：搬送ローラ
３２      ：搬送ローラ
３３      ：折り部
３４      ：中折り部
３５      ：部処理
３６      ：第２の束化部
３７      ：第２の可動基準フェンス
３８      ：ブレード
３９      ：押圧ローラ
４０      ：押圧ローラ
４１      ：排紙ローラ
４２      ：第２の排紙トレイ
５１      ：搬送部
５２      ：経路切替え部
６０      ：突き当て部
６１      ：放出爪
７０ａ    ：矢印
７１      ：上圧着歯
７１      ：圧着歯
７１ａ    ：矢印
７２      ：圧着歯
７２      ：下圧着歯
７２ａ    ：矢印
７３      ：上歯アーム
７４      ：下歯アーム
７５      ：アーム回転中心
７６      ：ギア
７７      ：カム駆動ギア
７８      ：下歯押しカム
７９      ：下歯戻しバネ
２００    ：部
２０１    ：移動ブラケット
２０２    ：軸
２０３    ：タイミングベルト
２０４    ：モータ
２０６    ：カム
２０６ａ  ：溝
２０７    ：タイミングベルト
２０８    ：モータ
２１０    ：基準フェンス
２１１    ：軸
２１２    ：ステー
２１３    ：バネ
５０１    ：ユニット
５０９    ：スタックトレイ
５１１    ：ジョガー
５１３    ：可動基準フェンス
５２１    ：用紙
Ｐ        ：用紙束
Ｐ        ：用紙
Ｐｔ１    ：第１の搬送経路
Ｐｔ２    ：第２の搬送経路
Ｐｔ３    ：第３の搬送経路
【先行技術文献】
【特許文献】
【００６０】
【特許文献１】国際公開第２００９／１１０２９８号公報
【図１】
2015089843.tif 000003
【図２】
2015089843.tif 000004
【図３】
2015089843.tif 000005
【図４】
2015089843.tif 000006
【図５】
2015089843.tif 000007
【図６】
2015089843.tif 000008
【図７】
2015089843.tif 000009
【図８】
2015089843.tif 000010
【図９】
2015089843.tif 000011
【図１０】
2015089843.tif 000012
【図１１】
2015089843.tif 000013
【図１２】
2015089843.tif 000014
【図１３】
2015089843.tif 000015
【図１４】
2015089843.tif 000016
【図１５】
2015089843.tif 000017
【図１６】
2015089843.tif 000018
【図１７】
2015089843.tif 000019
【図１８】
2015089843.tif 000020
【図１９】
2015089843.tif 000021
【図２０】
2015089843.tif 000022
【図２１】
2015089843.tif 000023
【図２２】
2015089843.tif 000024
【図２３】
2015089843.tif 000025
【図２４】
2015089843.tif 000026
【図２５】
2015089843.tif 000027
【図２６】
2015089843.tif 000028
【図２７】
2015089843.tif 000029
【図２８】
2015089843.tif 000030
【図２９】
2015089843.tif 000031
【図３０】
2015089843.tif 000032
【図３１】
2015089843.tif 000033
【図３２】
2015089843.tif 000034